(57)【特許請求の範囲】
【請求項１】
入力された映像信号の垂直同期パルスから前記映像信号がテレビジョン方式における標準信号であるか、又は非標準信号であるかを判定する同期判定回路において、
前記映像信号から抽出した水平同期パルスのｎ倍（但しｎ≧２）の発振周波数のクロックを生成する発振手段と、
前記映像信号から抽出した垂直同期パルスによってリセットされるとともに前記クロックに基づき前記垂直同期パルスの周期をカウントする第一の分周手段と、
前記第一の分周手段のカウント出力に応じて前記垂直同期パルスと同周期の第一のカウントパルスを出力するタイミング発生手段と、
前記第一のカウントパルスのタイミングで前記垂直同期パルスの有無を検出する第一の判定手段と、
前記クロックに基づき前記垂直同期パルスの周期をカウントする第二の分周手段と、
前記第二の分周手段のカウント出力に応じて前記垂直同期パルスと同周期とされる第二のカウントパルス及び該第二のカウントパルスに対応したリセットパルスを出力するタイミング発生手段と、
前記第二のカウントパルスのタイミングで前記垂直同期パルスの有無を検出する第二の判定手段と、
前記第一、第二の判定手段の判定結果に基づいて前記映像信号が標準信号であるか又は非標準信号であるかの判定を下す第三の判定手段を備え、
前記第二の分周手段は、前記第三の判定手段の判定結果が標準信号である場合は前記第二のカウントパルスでリセットされ、前記第三の判定手段の判定結果が非標準信号である場合は前記垂直同期パルス又は前記リセットパルスでリセットされるようにしたことを特徴とする同期判定回路。
【請求項２】
前記第二の判定手段における判定は前記第三の判定手段の判定結果が標準信号である場合にのみ有効にすることを特徴とする請求項１に記載の同期判定回路。
【請求項３】
入力された映像信号の垂直同期パルスから前記映像信号がテレビジョン方式における標準信号であるか、又は非標準信号であるかを判定する同期判定回路を備えたテレビジョン受像機において、
前記同期判定回路は、前記映像信号から抽出した水平同期パルスのｎ倍（但しｎ≧２）の発振周波数のクロックを生成する発振手段と、
前記映像信号から抽出した垂直同期パルスによってリセットされるとともに前記クロックに基づき前記垂直同期パルスの周期をカウントする第一の分周手段と、
前記第一の分周手段のカウント出力に応じて前記垂直同期パルスと同周期の第一のカウントパルスを出力するタイミング発生手段と、
前記第一のカウントパルスのタイミングで前記垂直同期パルスの有無を検出する第一の判定手段と、
前記クロックに基づき前記垂直同期パルスの周期をカウントする第二の分周手段と、
前記第二の分周手段のカウント出力に応じて前記垂直同期パルスと同周期とされる第二のカウントパルス及び該第二のカウントパルスに対応したリセットパルスを出力するタイミング発生手段と、
前記第二のカウントパルスのタイミングで前記垂直同期パルスの有無を検出する第二の判定手段と、
前記第一、第二の判定手段の判定結果に基づいて前記映像信号が標準信号であるか又は非標準信号であるかの判定を下す第三の判定手段を備え、
前記第二の分周手段は、前記第三の判定手段の判定結果が標準信号である場合は前記第二のカウントパルスでリセットされ、前記第三の判定手段の判定結果が非標準信号である場合は前記垂直同期パルス又は前記リセットパルスでリセットされるようにしたことを特徴とするテレビジョン受像機。
【請求項４】
前記第二の判定手段における判定は前記判定結果が標準信号である場合にのみ有効にすることを特徴とする請求項３に記載のテレビジョン受像機。
【発明の詳細な説明】
【０００１】
【発明の属する技術分野】
本発明は、入力した映像信号が正規のテレビジョン方式で形成されている標準信号であるか、又は非標準信号であるかを判定する同期判定回路及び同期判定回路を備えたテレビジョン受像機に関する。
【０００２】
【従来の技術】
現今の例えばテレビジョン受像機は、放送局から送信される放送電波を受信して、チューナで放送番組を選択して視聴することができるとともに、例えばビデオデッキ等の外部入力機器等で再生される映画等を鑑賞することができるようになっている。
また、最近では外部入力機器としてゲーム機器を接続して、専用のゲームソフトの映像を画面に映し出して遊ぶことができるようになっている。
【０００３】
チューナで選択された放送番組やビデオデッキ等から通常再生された映画等のソフトを見る場合、これらの映像信号は例えばＮＴＳＣ（Ｎａｔｉｏｎａｌ  Ｔｅｌｅｖｉｓｉｏｎ  Ｓｙｓｔｅｍ  Ｃｏｍｉｔｔｅｅ  ・・・水平同期周波数１５．７３４ＫＨｚ  、水平走査線数２６２．５本）方式やＰＡＬ（Ｐｈａｓｅ  Ａｌｔｅｒｎａｔｉｏｎ  ｂｙ  Ｌｉｎｅ  ）方式等の標準信号として入力される。
また、ビデオデッキ等による特殊再生時（早送り／巻戻しサーチ、静止画再生等）では映像信号の垂直同期信号と水平同期信号は機種によって異なる周期関係とされ、標準信号とは異なる非標準信号として入力される。さらに、前記ゲーム機器から出力される映像信号も各種ゲーム機器自体が生成した非標準信号（例えば水平走査線数２６２本、２６３本等）として入力される。
【０００４】
ところで、受信信号として入力される標準信号の場合、例えば放送電波に何らかの形でノイズが重畳されたり、また弱電界の地域では垂直同期信号が一時的に欠落して同期性能が低下してしまう場合がある。そこで、標準信号において垂直同期信号の欠落を検出した場合、その前後の垂直同期信号から予測を立てて補間処理を行うことが考えられている。これによって垂直同期が安定したものになり、良好な映像を得ることができる。
一方、例えばゲーム機器から供給される映像信号は非標準信号ではあるが、同期信号は欠落せず所定の周期（例えば水平走査線数２６２本、２６３本等）で供給される。したがって、入力されていた映像信号に対して、この場合補間処理を行う必要はない。そこで、２６２．５本周期で垂直同期信号が無い場合に、標準信号における欠落か又は垂直同期周期が異なる非標準信号であるかを判定することが必要とされる。
【０００５】
図７は従来例として、例えばＮＴＳＣ方式のテレビジョン受像機に適用されている偏向制御部における同期判定回路の構成例を示す図である。
図示されていない映像信号処理系で抽出された水平同期信号ＨＳｙｎｃ（ＮＴＳＣ方式の場合約１５．７３４ｋＨｚ  ）は、例えばＰＬＬ等によって構成されている発振器３０に供給される。発振器３０は水平同期信号ＨＳｙｎｃを基準クロックとして発振するように構成され、例えば水平同期信号ＨＳｙｎｃに対してｎ倍（但しｎは自然数）周波数のクロックＣＬＫ  を生成する。なおここでは一例としてｎ＝２として水平同期信号ＨＳｙｎｃの２倍の周波数のクロックＣＬＫ  が生成されることとする。したがってクロックＣＬＫ  は３１．４６８ｋＨｚ  の周波数で出力されることになる。
【０００６】
クロックＣＬＫ  は例えばフリップフロップ３１ａ、３１ｂ・・・、３１ｊによって１０ビットカウンタとして構成される分周器３１にカウント用のクロックとして供給される。そして分周器３１から出力されるカウント出力（各フリップフロップ３１ａ〜３１ｊの出力端子Ｑの出力）はタイミング発生部３２に出力される。タイミング発生部３２はカウント出力に応じて例えば５２５カウントのタイミングでＬレベルとなるカウントパルスＰ５２５、例えば４９２カウントのタイミングでＬレベルとなるリセットパルスＲ４９２を出力するように構成されている。
そして、分周器３１の入力段にオア回路３３を設けて、垂直同期信号のタイミングでＬレベルになる垂直同期パルスＶｓｙｎｃ又はリセットパルスＲ４９２の立ち下がりでリセットするようにしている。これによって例えば図８（ａ）（ｂ）に示されているように、垂直同期パルスＶｓｙｎｃに対して４９２カウント目まで不感帯を設けることができるようになる。したがって垂直同期パルスＶｓｙｎｃにノイズＮ、Ｎ・・・が重畳された場合でもこのノイズＮに影響を受けずに、分周器３１を正しい垂直同期パルスＶｓｙｎｃに同期させることができる。
【０００７】
フリップフロップ３４、３５は垂直同期パルスＶｓｙｎｃの周期から入力信号が標準信号か否かを判定する判定部を構成するように設けられており、それぞれのデータ端子Ｄには垂直同期パルスＶｓｙｎｃが供給される。さらに、クロック端子にはタイミング発生部３２から出力されるカウントパルスＰ５２５が供給されるが、フリップフロップ３５のクロック端子には反転器Ｉｎｖ  を介して位相が反転したカウントパルスＰ５２５ｒ  が供給されることになる。
したがって、フリップフロップ３４、３５はそれぞれカウントパルスＰ５２５、Ｐ５２５ｒ  の立ち下がりタイミングで出力端子Ｑ１  、Ｑ２  の出力レベルが決定され、後述するようにアンド回路３６と共に垂直同期パルスＶｓｙｎｃの有無を判定することができる。
【０００８】
分周器３１がリセットされてから『０』期間は必ず１クロックの周期よりも短くなるので５２５番目のクロック、すなわちカウントパルスＰ５２５は標準信号の垂直同期パルスＶｓｙｎｃよりも早く立ち上がる。したがって、図９（ａ）に摸式的に示されている垂直同期パルスＶｓｙｎｃに対して、カウントパルスＰ５２５、及び反転したカウントパルスＰ５２５ｒ  は、それぞれ図９（ｂ）（ｃ）に示されている矢印のタイミングでフリップフロップ３４、３５のトリガ信号となる。したがって、正規の垂直同期信号Ｖｓｙｎｃの時は、各立ち下がり点Ａ、Ｂのタイミングで出力端子Ｑ１  からはＨレベル、反転出力端子Ｑ２  からもＨレベルが出力される。そしてアンド回路３６の出力はＨレベルとなり、この場合に標準信号であるという判定を下す。
【０００９】
また、図９（ｄ）（ｅ）（ｆ）に示されているように、垂直同期信号ＶｓｙｎｃとカウントパルスＰ５２５のタイミングが一致していないときには、出力端子Ｑ１  からはＨレベル、反転出力端子Ｑ２  からはＬレベルが出力される。この場合はアンド回路３６の出力はＬレベルとなるので、この場合に非標準信号であるという判定を下す。
ここでの判定結果は図示されていない同期補間処理系に供給され、標準信号の場合に垂直同期パルスＶｓｙｎｃが欠落した場合には補間処理が行われるようになる。
【００１０】
これによって、例えばノイズＮの多い映像信号が入力された場合でも、一旦標準信号であると判断することができれば、分周器３１において垂直同期パルスＶｓｙｎｃに対して例えば２６２カウントまで不感帯を設けることにより、弱電界においても映像画面が乱れないようにコントロールすることができる。
【００１１】
また、図１０に示されているように判定部Ｊａｄ３に積分手段として例えば３ビットのアップ／ダウンカウンタ３７を設けることも考えられている。このアップ／ダウンカウンタ３７から出力されるカウント値が例えば４（２進表記で『１００』）以上である場合に標準信号であるという判断を下すことにより、垂直同期パルスＶｓｙｎｃの欠落やノイズの重畳等に対応している。なお、アップ／ダウンカウンタ３７におけるビット幅は標準／非標準信号の判定を下す場合の遷移の時定数に影響を及ぼすが全体の動作に影響を及ぼすことはない。
【００１２】
また、この図に示す例では、垂直同期パルスＶｓｙｎｃを測定する分周器３１と垂直偏向のタイミングを発生させる分周器３８、タイミング発生部３９を個々に設けている。
さらに、垂直同期パルスＶｓｙｎｃ又はリセットパルスＲ４８８の立ち下がりでリセットするようにしている。これによって、垂直同期パルスＶｓｙｎｃに対して４８８カウント目まで不感帯を設けることができるようになる。したがって垂直同期パルスＶｓｙｎｃにノイズが重畳された場合でもこのノイズに影響を受けずに、分周器３１を正しい垂直同期パルスＶｓｙｎｃに同期させることができる。
【００１３】
アップ／ダウンカウンタ（３ビット）３７にはアンド回路３６の出力レベルが供給されるとともに、タイミング発生部３２から４９１カウントのタイミングでＬレベルになるリセットパルスＲ４９１が供給され、このリセットパルスＲ４９１のタイミングでアンド回路３６の出力レベルがＨレベルである場合はカウントアップ、Ｌレベルの場合はカウントダウンを行う。
そして、ここでのカウント値が所定のレベルに達した時点で標準信号であるという判定を下すとともに、後述するスイッチＳＷ３  の切替えを行うようにしている。ここでは、例えばカウント値が例えば４以上（２進表記で１００）である場合に、標準信号であると判定してスイッチＳＷ３  を接点ｂ側に接続し、また、非標準信号であると判定された場合には接点ａ側に接続する用に制御する。
【００１４】
分周器３８は分周器３１と同様にフリップフロップ３８ａ、３８ｂ・・・、３８ｊによって１０ビットカウンタとして構成され、カウント用のクロックとして発振器３０から出力されるクロックＣＬＫ  が供給される。
分周器３８から出力されるカウント出力（各フリップフロップ３８ａ〜３８ｊの出力端子Ｑの出力）はタイミング発生部３９に出力される。タイミング発生部３９はカウント出力に応じてＬレベルになり。分周器３８を自走するためのリセットパルスＲ５２５（５２５カウント）、リセットパルスＲ４９２（４９２カウント）、リセットパルスＲ５７５（５７５カウント）を出力するように構成されている。
そして、アップ／ダウンカウンタ３７の判定が標準信号である場合は、スイッチＳＷ３  を介して供給されるリセットパルスＲ５２５によってリセットされて自走し、また、非標準信号である場合は垂直同期パルスＶｓｙｎｃによってリセットされる。
【００１５】
リセットパルスＲ４９２と垂直同期パルスＶｓｙｎｃはオア回路４０に供給される。これは、先に図８で説明した場合と同様に４９２カウント目までを不感帯とするためである。
さらに、オア回路４０の出力レベルはリセットパルスＲ５７５と共にアンド回路４１に供給される。例えば、正規の垂直同期パルスＶｓｙｎｃがチャンネル切替え等によって見かけ上欠落してしまうと、分周器３１は次の周期の垂直同期パルスＶｓｙｎｃを測定するためにカウントを続けるが、分周器３８は垂直偏向のタイミングを発生するために、自らリセットをかけて再びカウントを開始する必要がある。そこで、アンド回路４１を設けることによって、垂直同期パルスＶｓｙｎｃが欠落した場合に、リセットパルスＲ５７５によって例えば５７５カウント目に自らリセットをかけるようにしている。
【００１６】
このように同期判定回路を構成することにより、判定部Ｊａｄ３で標準信号であるという判定が下された場合はスイッチＳＷ３  を端子ｂ側に接続し、リセットパルスＲ５２５を分周器３８に供給して自走させるようにしている。これにより、垂直同期信パルスＶｓｙｎｃの欠落やノイズの重畳に関わらず所定周期でリセットをかけることができ、分周器３８と垂直同期パルスＶｓｙｎｃを同期させることができるようになる。
また、判定部Ｊａｄ３で非標準信号であるという判定が下された場合は、スイッチＳＷ３  を端子ａ側に接続し、アンド回路４１の出力をリセットパルスとして分周器３８に供給する。これによって、上記したように自ら分周器３８にリセットをかけて垂直偏向のタイミングを発生することができるようになる。
つまり、垂直同期信号の欠落を検出するための第一の分周器３１の同期が乱れた場合でも、垂直同期信号を形成するための分周器３８の同期は乱れることなく、タイミング発生部３９からは垂直偏向のタイミングが出力することができる。
【００１７】
図１１は垂直同期信号の一部が欠落した場合の各信号の出力タイミングを示す図であり、図１１（ａ）はクロックCLK 、図１１（ｂ）は垂直同期パルスＶsync、図１１（ｃ）はカウントパルスP525、図１１（ｄ）はアンド回路３６の出力レベル、図１１（ｅ）はリセットパルスR490、図１１（ｆ）はアップダウンカウンタ３７の出力レベル、図１１（ｇ）はリセットパルスR525を示している。
なお、これらの図で垂直同期パルスＶsyncの欠落タイミングを破線で、また垂直同期パルスＶsyncに重畳されたノイズＮを一点鎖線で示している。
【００１８】
先に述べたように、アップ／ダウンカウンタ３７のカウント値（図１１（ｆ））は、リセットパルスＲ４９０（図１１（ｅ））が供給されるタイミングで、図１１（ｄ）に示すようにアンド回路３６の出力がＨレベルの時にカウントアップ、Ｌレベルのときにカウントダウンするよう構成されている。
したがって、例えば図１１（ｂ）に破線で示されているように垂直同期パルスＶｓｙｎｃが欠落した場合、分周器３１はリセットされずにカウントを継続するので、図１１（ｅ）に示されているようにリセットパルスＲ４９０は出力されない。したがって、図１１（ｆ）に示されているようにアップダウンカウンタ３７の出力も変化せずそれまでのカウント値が保持される。
【００１９】
また、垂直同期パルスＶｓｙｎｃの欠落によってアンド回路３６の出力がＬレベルとされているタイミングでリセットパルスＲ４９０が供給されると、アップダウンカウンタ３７はカウントダウンを行ないカウント値が６となるが、先に述べたようにカウント値が４以上とされているので、標準信号であるという判定を保持する。
さらに、ノイズＮ１  が例えば４９２カウント以降に重畳されると、分周器３１はこのタイミングでリセットされてしまう。したがって、この後に入力された垂直同期パルスＶｓｙｎｃ１  は不感帯に入り、入力されているにも関わらず無視されてしまう。つまり、例えば５２５カウントの前にリセットされることにより、垂直同期パルスのタイミングでカウントパルスＰ５２５が出力されなくなってしまう場合がある。
しかしこのような場合でも、アップダウンカウンタ３７ではカウントダウンが行われるがカウント値が『４』以上である場合は標準信号であるという判定が下される。つまり、ここでは欠落やノイズＮ等によって例えば４回以上連続して垂直同期パルスＶｓｙｎｃが所定の周期で入力されない場合に非標準信号であるという判定を下している。
【００２０】
【発明が解決しようとする課題】
ところで、図１０に示した同期判定回路では、垂直同期パルスＶｓｙｎｃの一部が欠落したり、またノイズＮが重畳された垂直同期パルスＶｓｙｎｃが入力された場合、必ず一旦は非標準信号であると判定される。さらにこの状態で分周器３１がノイズＮによってリセットされてしまうと、垂直同期パルスＶｓｙｎｃと分周器３１の同期は乱れてしまう場合がある。
【００２１】
図１２は垂直同期パルスＶｓｙｎｃの一部欠落やノイズ重畳などによって同期が乱れる場合の各信号の出力タイミングを示す図であり、図１２（ａ）は垂直同期パルスＶｓｙｎｃ、図１２（ｂ）はカウントパルスＰ５２５、図１２（ｃ）はアンド回路３６の出力レベル、図１２（ｄ）はリセットパルスＲ４９０、図１２（ｅ）はアップダウンカウンタ３７の出力レベルを示している。
【００２２】
図１２（ａ）にタイミングＣ、Ｄに破線で示されているように、垂直同期パルスＶｓｙｎｃが欠落して、次の垂直同期パルスＶｓｙｎｃが入力されるまでの間にノイズＮ２  、Ｎ３  が重畳されると、分周器３１はこのタイミングでリセットされ、次の周期で入力される垂直同期パルスＶｓｙｎｃ２  は入力されているにも関わらず不感帯によって無視されてしまうことになる。したがって、垂直同期パルスＶｓｙｎｃの欠落とノイズＮの重畳が度重なると、垂直同期パルスＶｓｙｎｃと分周器３１の同期が乱れてしまい、図１２（ａ）に示すように正規の垂直同期パルスＶｓｙｎｃ（実線）が所定の周期で入力されているにもかかわらず、リセットパルスＰ４９０（１２（ｄ））の出力タイミングではアンド回路３６の出力はＬレベルになってしまう（図１２（ｃ））。
【００２３】
したがって、正規の垂直同期パルスＶｓｙｎｃの周期を分周器３１では正しく測定できなくなり、アップ／ダウンカウンタ３７では、図１２（ｅ）に示すようにカウントダウンが続き最終的には標準信号ではないという判定が下されてしまうことになる。
このように、垂直同期パルスＶｓｙｎｃの欠落とノイズＮの重畳が度重なり、正規の垂直同期パルスＶｓｙｎｃが測定できなくなると、垂直同期パルスＶｓｙｎｃと分周器３１の同期が安定するまでの間は非標準信号であるという判定が続いてしまう。したがって、例えば弱電界等で垂直同期パルスＶｓｙｎｃの欠落が生じた場合でも補間処理等が行われないので、同期の乱れた画像が表示されることになってしまうという問題があった。
【００２４】
【課題を解決するための手段】
本発明はこのような問題点を解決するためになされたもので、入力された映像信号の垂直同期パルスから前記映像信号がテレビジョン方式における標準信号であるか、又は非標準信号であるかを判定する同期判定回路において、前記映像信号から抽出した水平同期パルスのｎ倍（但しｎ≧２）の発振周波数のクロックを生成する発振手段と、前記映像信号から抽出した垂直同期パルスによってリセットされるとともに前記クロックに基づき前記垂直同期パルスの周期をカウントする第一の分周手段と、前記第一の分周手段のカウント出力に応じて前記垂直同期パルスと同周期の第一のカウントパルスを出力するタイミング発生手段と、前記第一のカウントパルスのタイミングで前記垂直同期パルスの有無を検出する第一の判定手段と、前記クロックに基づき前記垂直同期パルスの周期をカウントする第二の分周手段と、前記第二の分周手段のカウント出力に応じて前記垂直同期パルスと同周期とされる第二のカウントパルス及び該第二のカウントパルスに対応したリセットパルスを出力するタイミング発生手段と、前記第二のカウントパルスのタイミングで前記垂直同期パルスの有無を検出する第二の判定手段と、前記第一、第二の判定手段の判定結果に基づいて前記映像信号が標準信号であるか又は非標準信号であるかの判定を下す第三の判定手段を備え、前記第二の分周手段は、前記第三の判定手段の判定結果が標準信号である場合は前記第二のカウントパルスでリセットされ、前記第三の判定手段の判定結果が非標準信号である場合は前記垂直同期パルス又は前記リセットパルスでリセットされるように同期判定回路を構成する。
また、この同期判定回路を備えてテレビジョン受像機を構成する。
【００２５】
本発明によれば、第二の分周手段は標準信号である場合には第二のカウントパルスでリセットされて自走するので、垂直同期パルスの欠落やノイズの重畳に影響されることはない。したがって、第二の判定手段では垂直同期パルスが欠落したフィールドでは非標準信号であるという判定を下すが、次のフィールドに垂直同期パルスが入力されれば、標準信号であるという判定を下すことができるようになる。
これにより、垂直同期パルスの欠落やノイズに影響されずに、同期性能を向上させることができるようになる。
【００２６】
【発明の実施の形態】
以下、本発明の実施形態を例えばＮＴＳＣ方式のテレビジョン受像機に適用した場合を例に挙げて説明する。
図１は本実施形態のテレビジョン受像機の映像系の一部回路ブロックを示す図である。
チューナ１は例えばＢＳチューナ、ＣＳチューナ、Ｕ／Ｖチューナ等によって構成され、アンテナＡで受信した放送電波を選択する。チューナ１で選択された受信信号は中間周波増幅部（ＶＩＦ）２、スイッチＳＷを介して映像信号処理部３に供給される。スイッチＳＷはチューナ１で選択された受信信号と、外部入力端子ｔ１  、ｔ２に接続される外部入力機器（例えばビデオデッキ、レーザディスクプレーヤ等のＡＶ（Ａｕｄｉｏ  Ｖｉｓｕａｌ）機器、又はゲーム機器等、但し図示は省略している）から供給される映像信号を選択して映像信号処理部３に供給している。
【００２７】
映像信号供給部３は色信号の分離、色差信号形成、同期信号抽出等の各種信号処理を行いＲＧＢ各色の映像信号をＣＲＴ４に供給する。また、ここで抽出された同期信号は制御部５に供給する。
制御部５は入力した同期信号から上記各機能回路における各種信号処理などの同期を取りための水平走査周期に同期した動作クロックを生成する。また、各種操作キー、選択キー等が設けられているリモートコマンダＲＣから出力されるコマンドを受光部６を介して入力し、チューナ１の選局制御、スイッチＳＷの切替え、又は映像信号処理部３における各種画質調整等を行うようになされている。
【００２８】
偏向制御部７は映像信号の同期情報が入力されている制御部５から出力される動作クロックに基づいて、水平周期のタイミングで水平偏向信号Ｈを形成してＣＲＴ４のネック部分に取付けられている偏向ヨーク８に供給する。
また、現在スイッチＳＷで選択されている映像信号が、例えばチューナ１で選択されている放送番組や、外部入力端子ｔ１  又はｔ２  に接続されているビデオデッキ等の外部入力機器から供給される通常再生映像等の標準信号であるか、或いは外部入力端子ｔ１  又はｔ２  に接続されている外部入力機器から供給されている特殊再生映像や、ゲーム機器から供給されている非標準信号であるかの判定を行うように構成されている。
【００２９】
同期補間処理部９は偏向処理部７において現在選択されている映像信号が標準信号であると判定された場合に、例えば弱電界などによる欠落で水平走査線数２６２．５本毎に垂直同期信号が無い場合、その前後の垂直同期信号から予測をたてるなどして補間処理を行い、所定のタイミングで垂直同期信号を生成する様に構成されている。
【００３０】
これによって、標準信号において例えば水平走査線２６２．５本毎とされる垂直同期信号が欠落した場合でも、補間処理によって垂直同期信号を生成することができるとともに、例えば水平走査線２６２．５本毎に垂直同期信号が無い非標準信号が選択されている場合は補間処理を行わないようにすることができる。
【００３１】
次に、図２にしたがい偏向制御部７における同期判定回路について詳しく説明する。図２において、発振器１０、分周器１１、１９、タイミング発生部１２、２０は、先に図１０で説明した発振器３０、分周器３１、３８、タイミング発生部３２、３９に対応している。
また本実施形態では、垂直同期パルスＶｓｙｎｃの周期を測定する分周器１１、タイミング発生部１２のタイミングに応じて垂直同期パルスＶｓｙｎｃの有無を判定する第一の判定手段として、フリップフロップ１４、１５、反転器Ｉｎｖ１、アンド回路１６によって判定部Ｊａｄ１が構成されている。なお、フリップフロップ１４、１５、反転器Ｉｎｖ１、及びアンド回路１６による垂直同期パルスＶｓｙｎｃの検出は、先に図９で説明した場合と同様に行われる。すなわち、垂直同期パルスＶｓｙｎｃが検出されるとアンド回路１６の出力はＨレベルになる。
【００３２】
さらに、フリップフロップ２１、２２、反転器Ｉｎｖ２、及びアンド回路２３によって、垂直偏向タイミングを司る分周器１９、タイミング発生部２０のタイミングで垂直同期パルスＶｓｙｎｃの有無を検出する第二の判定手段として判定部Ｊａｄ２が構成されている。なお、垂直同期パルスＶｓｙｎｃの検出動作は判定部ｊａｄ１と同様である。
判定部Ｊａｄ２はタイミング発生部２０から出力される５２５カウントのタイミングでＬレベルになるカウントパルスＰ５２５ｂ  によって、このタイミングで垂直同期パルスＶｓｙｎｃの有無を検出するように構成されている。
そして、判定部Ｊａｄ１と判定部Ｊａｄ２の出力レベルは、その後段に設けられているオア回路１７を介して、第三の判定手段として構成され標準／非標準信号の判定を行う例えば３ビットで構成されているアップダウンカウンタ１８に供給される。つまりオア回路１７の出力レベルがアップダウンカウンタ１８のカウント制御出力となる。なお、本実施形態ではアップダウンカウンタを３ビットで構成しているが、ビット数に関してはこれに限定されるものではない。
【００３３】
以下、図２に示した同期判定回路によって標準／非標準信号の判定を下す一例を、図３に示されているタイミングチャートにしたがい説明する。なお、図３
（ａ）はクロックＣＬＫ  、図３（ｂ）は垂直同期パルスＶｓｙｎｃ、図３（ｃ）はタイミング発生部１２から出力されるカウントパルスＰ５２５ａ  、図３（ｄ）はアップ／ダウンカウンタ１８のリセットパルスＲ４９０、図３（ｅ）はアンド回路１６の出力レベル、図３（ｆ）はタイミング発生部２０から出力されるカウントパルスＰ５２５ｂ  、図３（ｇ）はアンド回路２３の出力レベル、図３（ｈ）はオア回路１７の出力レベル、図３（ｉ）はアップ／ダウンカウンタ１８のカウント出力レベルを摸式的に示している。
【００３４】
アップ／ダウンカウンタ１８の初期値は例えば０とされており、クロックＣＬＫ  垂直同期パルスＶｓｙｎｃが入力され始めるとカウントアップが開始される。そして、図３（ｆ）に示されているように、カウント値が例えば『４』以下で非標準信号であるという判定が下されている場合は、スイッチＳＷ１  を接点ａ側に切替えてオア回路２４、アンド回路２５を介した垂直同期パルスＶｓｙｎｃによって分周器１９がリセットされる。なお、垂直同期パルスＶｓｙｎｃはオア回路２４に供給されるリセットパルスＲ４９２によって４９２カウントまで不感帯が設けることでノイズの重畳に対応し、さらに、アンド回路２５を設けることで、例えば垂直同期パルスＶｓｙｎｃが欠落した場合でも５７５カウントのタイミングで分周器１９をリセットすることができるようになっている。
そして、アップ／ダウンカウンタ１８のカウントアップによって標準信号であるという判定が下されると、スイッチＳＷ１  は接点ｂに接続されて、分周器１９はＡ点以降接点ｂに切替えられカウントパルスＰ５２５ｂ  でリセットされ自走する。
【００３５】
ところで、図３（ｂ）に示されているように、例えば弱電界等により垂直同期パルスＶｓｙｎｃの一部が欠落し（破線で示す）、さらに欠落した次の周期の垂直同期パルスＶｓｙｎｃまでの間にノイズＮ（一点鎖線で示す）が重畳されると、分周器１１はノイズＮによってリセットされ再びカウントが開始される。そしてその次の垂直同期パルスＶｓｙｎｃ１  （リセット後４８８カウント以降）が入力されると、ノイズＮから垂直同期パルスＶｓｙｎｃ１  までの周期を測定してしまうので、カウントパルスＰ５２５ａ  は出力されず（図３（ｃ））、図３（ｅ）に示されているようにアンド回路１６の出力レベルはＬレベルとなる。したがって、判定部Ｊａｄ１では非標準信号であるという判定が下される。
【００３６】
これに対して、判定部Ｊａｄ２においても判定部Ｊａｄ１と同様の判定が行われるが、このタイミングではアップダウンカウンタ１８のカウント値が例えば『４』以上で標準信号であるという判定が下されているので、図３（ｆ）に示されているカウントパルスＰ５２５ｂ  によって分周器１８は自走する。
【００３７】
アップ／ダウンカウンタ１８によって標準信号であると判定され分周器１９が自走している場合は、カウントパルスP525b （図３（ｆ））と垂直同期パルスＶsync（図３（ｂ））は位相が一致しているので、図３（ｂ）に破線で示されているように、垂直同期パルスＶsyncの一部が欠落した場合は、判定部Jad2でも判定部Jad1と同様に非標準信号であるという判断が下され、アンド回路２３の出力はＬレベルになる。したがってオア回路１７の出力もＬレベルとなり、アップ／ダウンカウンタ１８ではカウントダウンが行われる。
【００３８】
しかし、その次のフィールドでは、判定部Ｊａｄ２においてはカウントクロックＰ５２５ｂ  によって、標準信号であるという判定が下されアンド回路２３からはＬレベルが出力される。したがって、判定部Ｊａｄ１の判定（非標準信号）と異なってしまうので、オア回路１７によってアンド回路１６とアンド回路２３のオアを取って標準信号であるという判定を下して、このオア出力をカウント制御レベルとしてアップ／ダウンカウンタ１８に供給する。これによってアップダウンカウンタ１８ではカウントアップがなされるようになる。
【００３９】
このように、判定部Ｊａｄ１及び判定部Ｊａｄ２の判定結果のオアを取って、アップ／ダウンカウンタ１８のカウントアップ／ダウンを行うことにより、垂直同期パルスＶｓｙｎｃの欠落とノイズの重畳が発生した場合でも、より正確な周期で垂直同期パルスＶｓｙｎｃの判定を行うことができるようになる。
【００４０】
ところで、先に説明したように、アップ／ダウンカウンタ１８のカウント値によって非標準信号であると判定され、スイッチＳＷ1 が接点ａ側に接続されている場合に、チャンネル切替え等によって見かけ上垂直同期パルスＶsyncが欠落した場合、分周器１９はタイミング発生部２０から出力されるリセットパルスR575で自らリセットをかけるようにしている。
【００４１】
図４はこの場合の各信号のタイミングチャートを摸式的に示す図であり、図４（ａ）は垂直同期パルスＶsync、図４（ｂ）はカウントパルスP525a 、図４（ｃ）はリセットパルスR575、図４（ｄ）はリセットパルスR492、図４（ｅ）はカウントパルスP525b を示している。
例えばチャンネル切替えなどによって、図４（ａ）に破線で示されている垂直同期パルスＶsyncがＡ点にずれると、これに伴って分周器１１がリセットされるタイミングがＡ点にずれるので、図４（ｂ）に示されているようにカウントパルスP525a が出力される周期もずれることになる。また、垂直同期パルスＶsyncがずれることにより、分周器１９は図４（ｃ）に示されているリセットパルスR575（Ｂ点）でリセットされることになり、カウントパルスP525b は、図４（ｅ）に示されているようにＢ点から５２５カウント目になるＣ点で出力されるようになる。
したがって、カウントパルスP525a とカウントパルスP525b の周期が乱れて判定部Jad1と判定部Jad2の判定に誤差が生じる場合がある。
【００４２】
そこで、例えば図５に他の実施形態として示されているように、判定部Ｊａｄ２の出力レベルとアップ／ダウンカウンタ１８の出力レベルを入力するアンド回路２６を設け、アップ／ダウンカウンタ１８の判定が標準信号、すなわち分周器１９が自走しているときのみに判定部Ｊａｄ２の判定を有効にする。これによって、図４に示したように、アップ／ダウンカウンタ１８によって非標準信号と判定されているときは判定部Ｊａｄ１の判定のみを有効とすることができるので、チャンネル切替えなどによって垂直同期パルスＶｓｙｎｃの周期がずれた場合でも、標準／非標準信号の誤判定を防止することができるようになる。
【００４３】
また、アップ／ダウンカウンタ１８に重みづけを持たせて、例えばオア回路１７の出力がＨレベルのときには例えば２カウントアップ、また、Ｌレベルのときには例えば２カウントダウンするようにしても良い。
【００４４】
さらに、図２では判定部Ｊａｄ１と判定部Ｊａｄ２の後段にオア回路１６を設けてアップ／ダウンカウンタ１８のカウント制御を行うようにしたが、例えば図６に示されているように、判定部Ｊａｄ１と判定部Ｊａｄ２の出力レベルを選択することができるスイッチＳＷ２  を設け、このスイッチＳＷ２  の切替え制御をアップ／ダウンカウンタ１８の判定結果に応じて制御するようにしても良い。
つまり、アップ／ダウンカウンタ１８によって標準信号であるという判定が下され分周器１９が自走しているときは、接点ｂ側に切替えて判定部Ｊａｄ１の判定を無視して判定部Ｊａｄ２のみで判定を行う。また、非標準信号である場合は接点ａ側に切替えて判定部Ｊａｄ１の判定のみを有効にする。
この場合も、アップ／ダウンカウンタ１８によって非標準信号と判定されている場合の誤動作を防止することができるようになる。
【００４５】
なお、上記実施形態はＮＴＳＣ方式のテレビジョン受像機を例に挙げて説明したが、他のテレビジョン方式として例えばＰＡＬ方式、ＳＥＣＡＭ方式等のテレビジョン受像機に適用することも可能である。
【００４６】
【発明の効果】
以上、説明したように本発明は、第二の分周手段は標準信号である場合には第二のカウントパルスでリセットされて自走するので、垂直同期パルスの欠落やノイズの重畳に影響されることなく、所定の周期で垂直同期パルスの有無を検出することができるようになる。したがって、第二の判定手段では垂直同期パルスが欠落したフィールドでは非標準信号であるという判定を下すが、次のフィールドに垂直同期パルスが入力されれば、標準信号であるという判定を下すことができるようになる。
これにより、垂直同期パルスの欠落やノイズの重畳によって同期が乱れた場合でもより正確な同期判定がを行うことができるようになる。
したがって本発明は、垂直同期パルスの欠落が生じた場合に、補間処理が行われるようになるので、同期がとれた良好な画像を表示することができるようになる。
【図面の簡単な説明】
【図１】本発明の実施形態のテレビジョン受像機の一部を示すブロック図である。
【図２】図１に示した偏向制御部における同期判定回路を説明する図である。
【図３】図２に示す同期判定回路の各部における信号波形のタイミングを示す図である。
【図４】非同期信号と判定されている場合に、垂直同期パルスの位相が変化した場合の各信号波形のタイミングを示す図である。
【図５】本実施形態の変形例を説明する図である。
【図６】本実施形態の変形例を説明する図である。
【図７】従来のテレビジョン受像機の偏向制御部における同期判定回路を説明する図である。
【図８】垂直同期パルスに重畳されるノイズに対する不感帯について説明する図である。
【図９】垂直同期パルスとカウントパルスのタイミングを説明する図である。
【図１０】図７に示す同期判定回路に対して垂直偏向タイミングを出力する分周器及びタイミング発生部を個別に設けた例を説明する図である。
【図１１】図１０に示す同期判定回路の各部の信号波形のタイミングを示す図である。
【図１２】垂直同期パルスの欠落及びノイズの重畳により従来の同期判定回路が誤判定する場合の一例を説明する図である。
【符号の説明】
３  映像信号処理部、７  偏向制御部、１０  発振器、１１，１９  分周器、１２，２０  タイミング発生部、Ｊａｄ１，Ｊａｄ２  判定部、１８、アップダウンカウンタ，ＳＷ１  、ＳＷ２    スイッチ、Ｖｓｙｎｃ  垂直同期パルス、Ｈｓｙｎｃ  水平同期パルス、Ｐ５２５ａ  ，Ｐ５２５ｂ    カウントパルス
【図１】
0003603494.tif 000002
【図２】
0003603494.tif 000003
【図３】
0003603494.tif 000004
【図４】
0003603494.tif 000005
【図５】
0003603494.tif 000006
【図６】
0003603494.tif 000007
【図７】
0003603494.tif 000008
【図８】
0003603494.tif 000009
【図９】
0003603494.tif 000010
【図１０】
0003603494.tif 000011
【図１１】
0003603494.tif 000012
【図１２】
0003603494.tif 000013